(57)【要約】【課題】テンプレート画像を帳票として発行する際の連番付与作業を効率化することのできる複写装置を提供する。【解決手段】セットされた帳票原稿を画像読取手段Ｄで読み取り、読み取った原稿画像を、その帳票種別に対応させたテンプレート画像として記憶し、帳票種別毎にテンプレート画像を記録紙に形成し、帳票として発行する機能を備える複写装置Ｍであって、帳票の出力順に、テンプレート画像を形成すべき記録紙の所定位置に、帳票発行番号としての連番を付与する連番付与制御手段Ｂと、この連番付与制御手段Ｂによって付与した連番を、その帳票種別毎に記憶する付与履歴記憶手段Ｃとを備える。【選択図】図１
2004328380.tif 000002
【特許請求の範囲】
【請求項１】
スキャナにセットされた帳票原稿を画像読取手段で読み取り、読み取った原稿画像を、その帳票種別に対応させたテンプレート画像として記憶し、上記帳票種別毎に上記テンプレート画像を記録紙に形成し、帳票として発行する機能を備える複写装置であって、
上記帳票の出力順に、上記テンプレート画像を形成すべき記録紙の所定位置に、帳票発行番号としての連番を付与する連番付与制御手段と、
この連番付与制御手段によって付与した連番を、その帳票種別毎に記憶する連番付与履歴記憶手段とを備えた連番付帳票発行機能を備えた複写装置。
【請求項２】
請求項１において、
上記連番付与制御手段は、出力すべき帳票の帳票種別毎に、対応する連番履歴を上記連番付与履歴記憶手段から読み出し、読み出した連番について、予めその種別ごとに対応して登録されている連番付与ルールに従って加工して付与連番を作成し、その付与連番を上記帳票発行番号として付与する連番付帳票発行機能を備えた複写装置。
【請求項３】
請求項１または２のいずれかにおいて、
上記連番付与制御手段は、上記原稿種別毎に、上記連番付与をする上記所定位置を記憶している連番付帳票発行機能を備えた複写装置。
【請求項４】
請求項３において、
上記連番付与制御手段は、上記原稿種別毎に、そのテンプレート画像を表示し、そのテンプレートに対し、上記連番を付与すべき所定位置を特定させる構成とし、特定された所定位置をその原稿種別毎に記憶する連番付帳票発行機能を備えた複写装置。
【請求項５】
請求項２〜４のいずれかにおいて、
上記連番付与制御手段は、発行済みの連番を、少なくとも、その原稿種別を対応させて連番付与履歴記憶手段に格納し、その帳票種別毎に対応する付与済み連番を読み出して上記表示手段に表示し、欠番している連番について手動で入力させる構成とし、
入力された番号がその帳票種別に対して既に付与済みであるかを判断し、付与済みでないならば入力された連番を付与する構成とした連番付帳票発行機能を備えた複写装置。
【請求項６】
請求項１〜５のいずれかにおいて、
上記連番付与制御手段は、付与すべき連番を現したバーコードなどの所定の画像情報を、上記テンプレート画像を形成すべき記録紙の所定位置に付記する構成とした連番付帳票発行機能を備えた複写装置。
【請求項７】
請求項６において、
発行済みの帳票を上記画像読取手段で読み取り、その帳票画像を発行済み帳票データベースに格納する構成であって、
上記連番付与制御手段は、読み取った帳票に付記されている画像情報より、付与済みの連番を認識し、この連番を対応させて、読み取った帳票画像とともに上記発行済み帳票データベースに格納する構成とした複写装置。
【請求項８】
複写装置の記憶手段に帳票種別毎に記憶されたテンプレート画像の発行順に、その画像を形成すべき記録紙の所定位置に連番を付与する連番付与ルーチンと、この連番付与ルーチンで付与した連番を、その帳票種別毎に、少なくとも日付を対応させて上記記憶手段に記憶する付与連番記憶ルーチンとを少なくとも実行する連番付帳票発行プログラム。
【発明の詳細な説明】
【０００１】
【発明の属する技術分野】
本発明は、スキャナにセットされた帳票原稿を画像読取手段で読み取り、読み取った原稿画像を、その帳票種別に対応させたテンプレート画像として記憶し、帳票種別毎にテンプレート画像を記録紙に形成し、帳票として発行する機能を備える複写装置に関する。
【０００２】
【従来の技術】
特許文献１に示す複写装置など、従来の複写装置においては、ＡＤＦ（オートドキュメントフィーダ）やフラットベッドスキャナにセットされた原稿を読み取り、その原稿を所定時に出力するなどの用途のために、テンプレート画像として記憶する機能を備えるものが出現している。
【０００３】
【特許文献１】
特開２０００−２９３７００号公報
【０００４】
【発明が解決しようとする課題】
ところが、上記特許文献１の複写装置を含め、あらゆる複写装置においては、記憶されているテンプレート画像の出力時に、そのままの画像を出力するだけの機能しかなく、その出力順に連番を自動付与する機能はなかった。そのため、許可願、申請書などを、その帳票種別に応じてテンプレート画像として記憶させておき、帳票発行時にこれを出力するような場合、発行連番が付与されず、発行毎に手書きによって番号付与する必要があった。または、付与済み帳票を印刷装置にセットし、連番のみを印字出力する必要があった。このため、作業効率という点において問題があった。
【０００５】
また、帳票の発行をする度に、何番まで発行したかを別の用紙に記載するなどの手立てをとらなければ、発行済みの連番を特定できず、連番を付与しにくいといった問題もあった。
【０００６】
なお、この問題を解決するためには、番号付与した発行済み帳票を、複写などによりもう１つ用意しておき、これをファイルに閉じて管理しておく手法があるが、発行帳票が増えるごとに、その分量は増大となり、管理効率といった点で難点があった。
【０００７】
そこで、本発明は、このような問題を解決すべく提案されるものであり、第１の目的は、テンプレート画像を帳票として発行する際の連番付与作業を効率化すること、第２の目的は、連番付与済み発行帳票の管理効率を向上させることである。
【０００８】
【課題を解決するための手段】
上記目的を達成するため、請求項１の複写装置では、スキャナにセットされた帳票原稿を画像読取手段で読み取り、読み取った原稿画像を、その帳票種別に対応させたテンプレート画像として記憶し、帳票種別毎にテンプレート画像を記録紙に形成し、帳票として発行する機能を備える複写装置であって、帳票の出力順に、テンプレート画像を形成すべき記録紙の所定位置に、帳票発行番号としての連番を付与する連番付与制御手段と、この連番付与制御手段によって付与した連番を、その帳票種別毎に記憶する連番付与履歴記憶手段とを備えた連番付帳票発行機能を備える。
【０００９】
このものでは、連番付与制御手段は少なくともＣＰＵで構成され、連番付与履歴記憶手段は不揮発性メモリや、磁気ディスク、ＩＣカードで構成される。
【００１０】
ＣＰＵは帳票種別ごとにテンプレート画像を出力するとき、その出力順に連番を付与する。連番を付与する毎に、その帳票種別毎に、付与連番をその日付を少なくとも対応させて不揮発性メモリに、いわゆるジャーナルとして記憶される。
【００１１】
連番を記録紙に付与すべき所定位置は、ユーザの指示により特定される。あるいは、ＣＰＵがメモリ記憶されたテンプレート画像を参照して空白を認識し、その適所を連番付与位置として特定する。
【００１２】
請求項２の複写装置では、連番付与制御手段は、出力すべき帳票の帳票種別毎に、予めその種別ごとに対応して登録されている連番付与ルールに従って、上記連番を帳票発行番号として付与する。
【００１３】
請求項３の複写装置では、請求項２の連番付与手法の一例を提案しており、連番付与制御手段は、出力すべき帳票の帳票種別毎に、対応する連番履歴を連番付与履歴記憶手段から読み出し、読み出した連番の最終値に対し、予め帳票種別毎に定められたスキップ数加算した連番を上記帳票発行番号として付与する。
【００１４】
このものでは、予めユーザによって、帳票種別毎に連番のスキップ数、いわゆる飛び数を設定し、連番付与制御手段に登録している。連番付与制御手段は、ユーザによって、発行すべき帳票種別が指定されると、その種別に対応する付与済み連番を読み出し、読み出した連番のうち最終値に対して、指定された帳票種別に応じたステップ数を加算した番号を発行番号として付与する。
【００１５】
請求項４の複写装置では、連番付与制御手段は、原稿種別毎に、連番付与をする所定位置を記憶している。このものでは、帳票画像のどこに連番を付与するかが予めＲＯＭに記憶されており、例えば、右上、左上、上部中央、左下、右下といった位置や、ユーザにより予め指定された位置を記憶する。
【００１６】
請求項５の複写装置では、連番付与制御手段は、原稿種別毎に、そのテンプレート画像を表示し、そのテンプレートに対し、連番を付与すべき所定位置を特定させる構成とし、特定された所定位置をその原稿種別毎に記憶する。
【００１７】
このものでは、連番付与制御手段は、ユーザによる所定操作があれば、各原稿種別毎にそのテンプレート画像を表示する。その状態で、ユーザによる画像形成範囲の指定に備える。これにより、ユーザが各原稿画像毎に印刷範囲を指定でき、使い勝手をよくできる。
【００１８】
請求項６の複写装置では、連番付与制御手段は、上記原稿種別毎に付与済み連番を表示手段に表示し、欠番している連番について手動で入力させる構成とし、入力された番号がその帳票種別に対して既に付与済みであるかを判断し、付与済みでないならば入力された連番を付与する構成とした。
【００１９】
このものでは、ユーザが原稿種別を指定した読み出し指示をすれば、その種別毎に付与済み連番が表示部に表示される。表示態様は複写装置の表示画面特有の小ささから考慮して、１枚ずつ順次表示されることが望ましい。
【００２０】
請求項７の複写装置では、連番付与制御手段は、付与すべき連番を現したバーコードなどの所定の画像情報を、テンプレート画像を形成すべき記録紙の所定位置に付記する構成とした。
【００２１】
このものでは、連番付与制御手段は、付与すべき連番を表した画像情報を付記するため、請求項８の装置によるファイリングをする際には、ユーザがわざわざ付与済み連番を入力する必要がなく、簡便にできる。なお、画像情報を付記するほか、付与済み連番をＯＣＲ機能によりテキストデータに変換し、これを登録する構成ともできる。
【００２２】
請求項８の複写装置では、発行済みの帳票を画像読取手段で読み取り、その帳票画像を発行済み帳票データベースに格納する構成であって、連番付与制御手段は、読み取った帳票に付記されている画像情報より、付与済みの連番を認識し、この連番を対応させて、読み取った帳票画像とともに上記発行済み帳票データベースに格納する構成とした。
【００２３】
この複写装置では、ファイリング作業の効率化を図ったものであって、読み取った帳票に付記されている画像情報より付与済み連番を自動認識して、これを読み取り帳票画像ととともに登録する構成としている。なお、付記されている画像情報の認識のほか、付与済み連番をＯＣＲによりテキストデータ変換し、これを登録するようにしてもよい。
【００２４】
請求項９の連番付帳票発行プログラムでは、複写装置の記憶手段に帳票種別毎に記憶されたテンプレート画像の発行順に、その画像を形成すべき記録紙の所定位置に連番を付与する連番付与ルーチンと、この連番付与ルーチンで付与した連番を、その帳票種別毎に、少なくとも日付を対応させて上記記憶手段に記憶する付与連番記憶ルーチンとを少なくとも実行する。
【００２５】
【発明の実施の形態】
以下に、本発明の実施の形態について説明する。図１は、本発明の複写装置の概略構成の一例を示すブロック図である。このものは、この複写装置Ｍの統括的制御を行う制御手段Ａと、出力帳票に連番を付与する連番付与制御手段Ｂと、各データを記憶する記憶手段と、原稿を読み取る画像読取手段Ｄと、原稿画像を印字出力する印字出力手段Ｅとを備える。
【００２６】
図２は、本発明の複写装置の具体的構成の一例を示すブロック図である。この複写装置Ｃは、制御手段Ａと連番付与制御手段Ｂとを構成し、以下の各部を制御するＣＰＵ１と、記憶手段Ｃに包含され、連番付与履歴記憶手段を構成する不揮発性メモリ２と、この複写装置Ｃが動作するのに必要なプログラムの他、後述する連番付与機能に必要な自動連番付与プログラムを記憶したＲＯＭ３と、画像読取手段Ｄを構成し、セットされた原稿から１枚づつ原稿を読み取り、読取画像とするスキャナ４と、印字出力手段Ｅを構成し、読取画像を記録紙に形成して排出するプリンタ５と、表示画面などで構成される表示部６と、各種操作キーなどで構成される操作部７と、スキャナ４による読取画像や、後述するテンプレート画像記憶部８Ａを有する画像記憶部８とを備える。
【００２７】
不揮発性メモリ２には、図３に示すような連番付与履歴テーブルＴを備える。このテーブルＴには、発行した帳票の帳票種別に対応して、付与済み連番がその発行順に順次登録される。なお、付与済み連番の検索を容易とするため、それぞれの付与済み連番に対応して、付与日が登録されている。このテーブルＴの登録内容は後述する連番付与処理により登録あるいは更新される。
【００２８】
ＲＯＭ３には、先述したように、複写装置Ｍとしての最低限の複写プログラムの他に、本発明の特徴とする連番付帳票発行プログラムが格納されている。なお、このプログラムは、ＲＯＭ３に予め登録されていてもよいが、複写装置Ｍの拡張性という観点では、当該プログラムを記憶したモジュール、ハードディスク、ＩＣカードなどのプログラム記憶媒体を外付けして、これをＣＰＵ１により処理させるのが望ましい。
【００２９】
画像記憶部８には、図４に示すように、テンプレート画像記憶部８Ａを備える。テンプレート画像記憶部８Ａには、予めスキャナ４で読み取ったテンプレート画像が、その帳票種別と対応して登録されている。ここで、帳票種別については、ユーザ操作により指定できる。
【００３０】
このような構成における自動連番付与処理では、出力すべき帳票の帳票種別毎に、予めその種別ごとに対応して登録されている連番付与ルールに従って、連番を帳票発行番号として付与するものとしている。
【００３１】
図５のフローチャートは、この処理の一例を示すものであり、ＣＰＵ１は、所定の帳票出力指示があれば、複写すべき原稿種別の指定を促す（１００）。すなわち、帳票出力指示があると、ＲＯＭ３より、許可願、申請書、納品票などといった帳票種別を読み出しこれを表示部に表示させユーザの選択をまつ。なお、帳票出力指示の後、所定のログイン画面を表示し、権限のあるユーザのみ複写できるようにしてもよい。
【００３２】
そして、ＣＰＵ１は、帳票種別の指定があれば（１００）、連番付与履歴テーブルＴを参照し、その種別に対応する付与済連番の有無を確認する（１０１）。このとき、付与済み連番があればその一連の連番の最終値を判断し（１０２）、その最終値に所定ステップ数加算した値を付与連番とする（１０３）。
【００３３】
一方、ステップ１０１において、対応する付与済連番がないときは、「０にステップ数加算した値」、すなわち、ステップ数そのものを付与連番とする（１０４）。
【００３４】
なお、上記ステップ数とは、連番の間隔を示すものであり、例えば、「３」を設定すれば、「３」、「６」、「９」・・・と連番が付与される。また、「１」を設定すれば、「１」、「２」、「３」・・・と連番が付与される。
【００３５】
なお、上記した付与連番は単なる数字だけにとらわれず、あらゆるパターンが適用される。すなわち、英数字を含むもの（「ＰＲ−００１−０１」、「ＰＲ−００２−０１」）、元号を含むもの（「平成１５年−００１」、「平成１５年−００２」）、日付や時刻または日付時刻双方を含むもの、元号（または西暦）と日付と時刻全てを含むものを適用してもよい。元号（西暦）、日付、時刻は、連番付与時のものが適用され、これらのデータは、所定の日付機構を本装置Ｍに組み込めば適用することができる。
【００３６】
そして、ステップ１０４において決定した連番を、指定された帳票種別に対応するテンプレート画像とともに記録紙に形成し（１０５）、付与した連番を当該帳票種別に対応させて、連番付与履歴テーブルＴに格納する（１０６）。
【００３７】
このようなステップ１０２，１０３，１０５、１０６の一連の処理を、予め指定された全部数繰り返したら（１０６）、自動連番付与処理が終了される。
【００３８】
なお、ここでは、一定のステップ数を加算するいわゆる等差数列的な演算により付与連番を求めているが、この例には限られず、１，３，９，２７・・・といったいわゆる等比数列的なもの、または、１，２，５，９・・・といった変則的なパターンなど、演算パターンをユーザが特定操作により設定できるものとすれば、連番付与パターンを多彩なものとできる。
【００３９】
また、連番を付与する位置については、上記実施形態の場合には、予めＲＯＭ３の連番付帳票発行プログラムに規定している。位置としては、右上、左上、上部中央、下部中央、左下、右下などが規定されている。
【００４０】
また、テンプレート画像の読み取り格納時に、空白を自動認識し、適所を付与位置としてそのテンプレート画像と対応させて記憶してもよい。更に、後述する処理によってユーザにより登録された位置に付与することもできる。
【００４１】
これを図６のフローチャートとともに説明すると、図５のステップ１００において出力すべき帳票種別が選択されると、その種別に応じて付与位置が設定されているか判別する（２００）。このような付与位置は不揮発性メモリ２の適所に、後述する処理により、その帳票種別に対応して登録されるものである。
【００４２】
このような付与位置はその帳票種別に対応して登録されていれば、図５のステップ１０１の処理に以降するが、登録されていなければ（２００）、当該種別のテンプレート画像を読み出して表示部６にプレビュー表示する（２０２）。
【００４３】
なお、この表示態様については、複写装置Ｍの表示画面特有の小ささから考慮して、操作部７のカーソル操作などによって、任意の一部分を適宜表示できることが望ましい。
【００４４】
このプレビュー表示をみて、マウスなどのポインティングデバイスなどの操作により、ユーザが付与位置を指定するのであるが、指定された位置は当該種別に対応して登録される（２０３，２０４）。
【００４５】
したがって、帳票出力時に、予め付与位置がユーザ指定されていればその位置に連番付与され、ユーザ指定されていなければ位置指定を促し、指定された位置がその帳票種別に対応して登録されるため、帳票種別毎に連番付与位置をユーザが任意に特定でき、使い勝手が向上する。
【００４６】
なお、このものでは、連番付与制御手段Ｂは、原稿種別毎に付与済み連番を表示部７に表示し、欠番している連番について手動で入力させる構成とし、入力された番号がその帳票種別に対して既に付与済みであるかを判断し、付与済みでないならば入力された連番を付与する構成としてもよい。
【００４７】
そのためには、図５に示す自動連番付与処理をさせる際に特殊な操作をすると、ステップ１０１から１０４における一連の処理を止め、選択された帳票種別に対応する付与済み連番を読み出して表示し、ユーザによる欠番補充操作に向けて待機する。その際、表示される付与済み連番は、表示画面の小ささを考慮して適宜スクロールして任意の一部の番号が表示されることが望ましい。
【００４８】
そして、ユーザが欠番を見つけ、これを入力すると、読み出した付与済み連番のうちこれが重複するか判断し、重複しなければ当該連番を付与した帳票画像を出力する。
このような欠番補充処理につき、フローチャート化したものが図７である。このものでは、所定の欠番補充指示操作をユーザが行えば（３００）、ＣＰＵ１は、ユーザによる帳票種別指定操作（３０１）に対して待機し、この指定操作があると、指定された帳票種別に対応する付与済み連番を不揮発性メモリ２より読み出し、これを表示する（３０２，３０３）。
【００４９】
なお、読み出した付与済み連番の表示態様は、先述の通り、適宜スクロール操作により任意の一部の番号が表示されることが望ましい。
【００５０】
ユーザはかかる表示をみて、欠番を探しこれを入力する（３０４）。すると、ＣＰＵ１は、読み出した付与済み連番と重複するかを判断する（３０５）。重複していれば所定のエラー報知をする（３０６）。一方、重複していなければ、入力された欠番を不揮発性メモリ２の該当位置に登録する（３０７）。
【００５１】
そして、入力された欠番を記録紙の所定位置に記した帳票画像を出力する（３０８）。その後、終了指示（３０９）があれば、欠番補充処理を終了する。
【００５２】
ここで、ステップ３００の欠番補充指示操作、ステップ３０９の終了操作は、専用キーを設けてこれを操作するようにしてもよいし、ソフトスイッチの操作でするようにしてもよく、その手法は問わない。
【００５３】
このような構成をなす本発明装置Ｍにおいては、図８に示すような連番付与済帳票画像記憶部８Ｂを画像記憶部８に備えておき、出力済みの帳票をスキャナで取り込み、取り込んだ帳票画像をその種別と対応させて格納するようにしておけば、帳票のファイリングの観点において有益にできる。
【００５４】
このような構成においては、連番付与済帳票画像記憶部８Ｂには、連番付与済みの帳票画像が、その原稿種別、日付、付与済み連番に対応させて記憶される。
【００５５】
そのために、図５のステップ１０５における画像形成時に、付与連番に対応するバーコードをも形成しておき、スキャナで読み取った帳票画像のうち、バーコードに相当する部分から付与連番を抽出し、その連番情報を帳票画像と対応させて登録しておけば、付与連番を検索キーとした帳票画像の検索が可能となり、一層ファイリング効率が向上する。なお、バーコードは出力後の帳票にユーザが手動でつけることもできる。
【００５６】
また、格納日付もあわせて登録しておけば、その日付を検索キーとして帳票画像の検索が可能となる。
【００５７】
【発明の効果】
以上の説明からも理解できるように、請求項１では、帳票の出力順に、テンプレート画像を形成すべき記録紙の所定位置に、帳票発行番号としての連番を付与する連番付与制御手段と、この連番付与制御手段によって付与した連番を、その帳票種別毎に記憶した連番付与履歴記憶手段とを備えている。このため、テンプレート画像を帳票として発行する際の連番付与作業を効率化することができる。
【００５８】
請求項２の複写装置では、連番付与制御手段は、出力すべき帳票の帳票種別毎に、予めその種別ごとに対応して登録されている連番付与ルールに従って、上記連番を帳票発行番号として付与する。これにより、一定のルールに従った連番が順次付与されることとなり、連番付与済み帳票の管理がしやすくなる。
【００５９】
請求項３の複写装置では、連番付与制御手段は、出力すべき帳票の帳票種別毎に、対応する連番履歴を連番付与履歴記憶手段から読み出し、読み出した連番の最終値に対し、予め帳票種別毎にスキップ数加算した連番を帳票発行番号として付与する。このため、ユーザが、独自に定めたスキップ数毎に番号を付与することができ、多様な連番付与パターンが実現できる。
【００６０】
請求項４の複写装置では、連番付与制御手段は、原稿種別毎に、連番付与をする所定位置を記憶している。そのため、連番付与すべき位置をユーザが指定する必要がなく、利便である。
【００６１】
請求項５の複写装置では、連番付与制御手段は、原稿種別毎に、そのテンプレート画像を表示し、そのテンプレートに対し、連番を付与すべき所定位置を特定させる構成とし、特定された所定位置をその原稿種別毎に記憶する。そのため、ユーザがテンプレートの種別に応じて、連番付与させたい位置を独自に設定でき、利便である。
【００６２】
請求項６の複写装置では、連番付与制御手段は、上記原稿種別毎に付与済み連番を表示手段に表示し、欠番している連番について手動で入力させる構成とし、入力された番号がその帳票種別に対して既に付与済みであるかを判断し、付与済みでないならば入力された連番を付与する構成とした。これにより、故意に付与連番を飛び番にした場合でも、抜けている番号を容易に確認し、適切に補充することができる。
【００６３】
請求項７の複写装置では、連番付与制御手段は、付与すべき連番を現したバーコードなどの所定の画像情報を、テンプレート画像を形成すべき記録紙の所定位置に付記する構成とした。これにより、請求項７の装置によるファイリングをする際には、ユーザがわざわざ付与済み連番を入力する必要がなく、簡便にできる。
請求項８の複写装置では、発行済みの帳票を画像読取手段で読み取り、その帳票画像を発行済み帳票データベースに格納する構成であって、連番付与制御手段は、読み取った帳票に付記されている画像情報より、付与済みの連番を認識し、この連番を対応させて、読み取った帳票画像とともに上記発行済み帳票データベースに格納する構成とした。これにより、複写装置におけるファイリング作業の効率化を図ることができる。
【００６４】
請求項９では、複写装置の記憶手段に帳票種別毎に記憶されたテンプレート画像の発行順に、その画像を形成すべき記録紙の所定位置に連番を付与する連番付与ルーチンと、この連番付与ルーチンで付与した連番を、その帳票種別毎に、記憶手段に記憶する付与連番記憶ルーチンとを少なくとも実行する。
【００６５】
これにより、少なくとも、本発明の特徴の根幹である、請求項１の機能を複写装置に対して実行させることができる。
【図面の簡単な説明】
【図１】本発明の複写装置の概略構成の一例を示すブロック図である。
【図２】本発明の複写装置の具体的構成の一例を示すブロック図である。
【図３】連番付与履歴テーブルの構成の一例を示す図である。
【図４】テンプレート画像記憶部の構成の一例を示す図である。
【図５】自動連番付与処理の一例について示すフローチャートである。
【図６】連番付与位置指定処理の一例について示すフローチャートである。
【図７】欠番補充処理の一例について示すフローチャートである。
【図８】連番付与済帳票画像記憶部の構成の一例を示す図である。
【符号の説明】
Ｍ・・・複写装置
Ｂ・・・連番付与制御手段
Ｃ・・・記憶手段
Ｄ・・・画像読取手段
Ｅ・・・印字出力手段
【図１】
2004328380.tif 000003
【図２】
2004328380.tif 000004
【図３】
2004328380.tif 000005
【図４】
2004328380.tif 000006
【図５】
2004328380.tif 000007
【図６】
2004328380.tif 000008
【図７】
2004328380.tif 000009
【図８】
2004328380.tif 000010